(57)【要約】  【課題】  長尺野菜の置き場を設けるに際し、長尺野菜以外の野菜の取り出しを阻害せず、それでいて長尺野菜の収容量を大きくできる冷蔵庫構造を提供する。  【解決手段】  冷蔵庫１の断熱筐体１０の内部は上下左右に区分される。下側の２区分のうち、左側の区分が野菜室４０となる。野菜室４０の扉２４は複数のスライドガイド４１により引き出し式に支持されている。扉２４の内面には長尺野菜直立保持手段である野菜立て４２が装着される。野菜室４０の中には３段の引き出し式野菜ケース４３ａ、４３ｂ、４３ｃが挿入されており、最下段の野菜ケース４３ｃは扉２４に連動して引き出される。【選択図】      図４
2006343035.tif 000002
【特許請求の範囲】
【請求項１】
断熱筐体の一部に左右の区分を設け、この左右の区分の一方を野菜室とし、この野菜室の扉を引き出し式扉とするとともに、この引き出し式扉の内面に長尺野菜直立保持手段を装着したことを特徴とする冷蔵庫。
【請求項２】
前記野菜室に複数段の引き出し式野菜ケースを挿入し、これらの野菜ケースのうち最下段のものが前記引き出し式扉に連動して引き出されるようにしたことを特徴とする請求項１に記載の冷蔵庫。
【発明の詳細な説明】
【技術分野】
【０００１】
本発明は家庭用又は業務用の冷蔵庫に関する。
【背景技術】
【０００２】
最近の冷蔵庫では、断熱筐体の内部を上下、左右に区分し、一つ一つの区分を冷蔵室、冷凍室、野菜室などに割り当てる構成のものが多くなっている。このような冷蔵庫の例を特許文献１、２に見ることができる。また特許文献１には野菜室の扉の内面に長尺野菜を直立状態で収納する長尺物収納手段を設けた構成が開示され、特許文献２には扉を開き戸式でなく引き出し式にした構成が開示されている。
【特許文献１】特開２００３−５６９７７号公報（第２頁−第３頁、図１−図７）
【特許文献２】特開２００１−２６３９１３号公報（第４頁−第６頁、図１−図５）
【発明の開示】
【発明が解決しようとする課題】
【０００３】
特許文献１のように野菜室の扉の内面に長尺野菜の収納手段を設ける場合、この扉がヒンジ部を中心に回動する開き戸式のものであると、野菜室からの野菜ケースの引き出しを阻害しないよう、長尺野菜収納手段の幅を狭くして野菜ケースとの干渉を少なくする必要がある。これにより長尺野菜の収容量が制限され、扉内面にデッドスペースが生まれることになる。
【０００４】
本発明は上記の点に鑑みなされたものであり、長尺野菜の置き場を設けるに際し、長尺野菜以外の野菜の取り出しを阻害せず、それでいて長尺野菜の収容量を大きくできる冷蔵庫構造を提供することを目的とする。
【課題を解決するための手段】
【０００５】
（１）上記目的を達成するために本発明は、冷蔵庫の断熱筐体の一部に左右の区分を設け、この左右の区分の一方を野菜室とし、この野菜室の扉を引き出し式扉とするとともに、この引き出し式扉の内面に長尺野菜直立保持手段を装着したことを特徴としている。
【０００６】
この構成によると、長尺野菜直立保持手段は野菜ケースから直線的に遠ざかって野菜ケース引き出しの余地を生むものであるから、長尺野菜直立保持手段の幅によって野菜ケースの引き出しが容易になったり引き出しが困難になったりするということがない。従って引き出し式扉の幅を最大限に利用し、扉全幅サイズの大容量の長尺野菜直立保持手段を設けることができる。また、野菜室でない側の区分の前に立ち、野菜室から引き出した野菜ケースに横の方から野菜を出し入れできるので、野菜の出し入れが容易で使いやすい。野菜ケースの中を目で見て確かめるのも簡単に行える。
【０００７】
（２）また本発明は、上記構成の冷蔵庫において、前記野菜室中に複数段の引き出し式野菜ケースを挿入し、これらの野菜ケースのうち最下段のものが前記引き出し式扉に連動して引き出されるようにしたことを特徴としている。
【０００８】
この構成によると、複数段の引き出し式野菜ケースをすべて手で出し入れする必要はなくなり、最下段の野菜ケースに関しては引き出し式扉と一緒に出し入れされるに任せておけば良いので、使い勝手が向上する。
【発明の効果】
【０００９】
本発明によると、野菜室の扉が引き出し式扉であることにより、その内面に大容量の長尺野菜直立保持手段を設けることができる。また、野菜室でない側の区分の前に立ち、野菜室から引き出した野菜ケースに横の方から野菜を出し入れでき、野菜の出し入れが容易になる。
【発明を実施するための最良の形態】
【００１０】
以下、本発明の一実施形態を図に基づき説明する。図１は冷蔵庫の正面図、図２は扉を開放した状態の冷蔵庫の正面図、図３は冷蔵庫の垂直断面図、図４は図３と異なる状態における冷蔵庫の垂直断面図である。
【００１１】
冷蔵庫１は、図２に見られるように断熱筐体１０の内部が上下左右に区分されていて、左上が第１区分１１、右上が第２区分１２、右下が第３区分１３、左下が第４区分１４となっている。第１区分１１の正面開口部には扉２１が設けられ、第２区分１２の正面開口部には扉２２が設けられ、第３区分１３の正面開口部には扉２３が設けられ、第４区分１４の正面開口部には扉２４が設けられている。扉２１は向かって左側に設けられたヒンジ部を中心として回動し、扉２２と扉２３は向かって右側に設けられたヒンジ部を中心として回動する。扉２４だけが引き出し式扉となっている。扉２１、２２、２３、２４には把手２５、２６、２７、２８が取り付けられている。
【００１２】
第１区分１１及び第２区分１２は冷蔵室３１及び冷蔵室３２として用いられる。冷蔵室３１は複数の棚３３により複数段に仕切られ、最下段には引き出し式の冷蔵食品ケース３４が置かれている。冷蔵室３２は複数の棚３５により複数段に仕切られ、最下段には引き出し式の冷蔵食品ケース３６が置かれている。また扉２１、２２の内面にはボトル類や飲料の紙パックなどを収納するラック群３７（図３参照）が取り付けられている。
【００１３】
第３区分１３は冷凍室３８として用いられる。冷凍室３８には計４個の冷凍食品ケース３９ａ、３９ｂ、３９ｃ、３９ｄが上下に重なる形で挿入されている。冷凍食品ケース３９ａ、３９ｂ、３９ｃ、３９ｄはそれぞれ両側縁部によって冷凍室３８の内面に支持されており、前方にスライドさせて引き出すことができる。
【００１４】
第４区分１４は野菜室４０として用いられる。野菜室４０の扉２４は前述の通り引き出し式であり、複数の水平なスライドガイド４１によって支持される。スライドガイド４１は内外の２部材を望遠鏡式に伸縮できるよう組み合わせたものであり、外側の部材は断熱筐体１０に固定され、内側の部材の先端に扉２４が取り付けられている。内外の部材の間にはベアリングの鋼球が挟み込まれており、これにより両部材は滑らかに相対移動（スライド）を行う。扉２４の内面にはネギのような長尺野菜を直立状態で保持する野菜立て４２（図３参照）が取り付けられている。
【００１５】
野菜室４０には計３個の引き出し式野菜ケース４３ａ、４３ｂ、４３ｃが上下に重なる形で挿入されている。野菜ケース４３ａ、４３ｂ、４３ｃはそれぞれ両側縁部によって野菜室４０の内面に支持されており、前方にスライドさせて引き出すことができる。３個の野菜ケース４３ａ、４３ｂ、４３ｃのうち、最も容量の大きい最下段の野菜ケース４３ｃは扉２４に連結されている。そのため、扉２４を手前に引き出すと、野菜立て４２に加えて野菜ケース４３ｃも野菜室４０から引き出されることになる。
【００１６】
スライドガイド４１の本数は、実施形態では４本としたが、数は限定されない。３本でもよい。扉２４、野菜立て４２、及び野菜ケース４３ｃを安定して引き出し、かつ十分な引き出し量を確保できさえすればよい。
【００１７】
野菜ケース４３ａ、４３ｂ、４３ｃは透明な合成樹脂で成型し、内部の視認性を良くしておくとよい。冷蔵食品ケース３４、３６及び冷凍食品ケース３９ａ、３９ｂ、３９ｃ、３９ｄについても同様である。
【００１８】
冷蔵庫１における冷却サイクルの中心となるのは断熱筐体１０の背面上部に設置されたスターリング冷凍機５０である。スターリング冷凍機５０はスターリング冷凍サイクルにより冷熱を発生するものであり、本体部に放熱部と吸熱部を備える。放熱部に取り付けられた高温側蒸発器に二次冷媒循環回路を介して高温側凝縮器５１が接続される。吸熱部に取り付けられた低温側凝縮器には、冷蔵庫１の庫内の奥に配置された低温側蒸発器５２が二次冷媒循環回路を介して接続される。低温側蒸発器５２はスターリング冷凍サイクルにより得られた冷熱により庫内を冷却し、高温側凝縮器５１は庫内から奪った熱を大気中に廃熱として放出する。
【００１９】
断熱筐体１０の内部には、背面側の内壁に沿って垂直方向に延びる冷却ダクト６０、６１が設けられる。冷却ダクト６０は奥側に位置し、冷却ダクト６１はその手前側に位置する。冷却ダクト６０の下端には庫内空気を吸い込む吸気口６２が設けられる。吸気口６２の上方には低温側蒸発器５２が設置され、さらにその上方には、冷却ダクト６１に空気を吹き出す送風機６３が設けられる。
【００２０】
スターリング冷凍機５０を運転し、低温側蒸発器５２に冷熱を伝えておいて送風機６３を運転すると、冷却ダクト６０の下端の吸気口６２から吸い込まれた空気が低温側蒸発器５２によって冷却され、冷気となって冷却ダクト６１に送り込まれる。冷気は冷却ダクト６１の所定箇所に形成された吹出口６４を通じて冷蔵室３１、３２、冷凍室３８、及び野菜室４０に吹き出し、各室を所定の温度に冷却する。
【００２１】
冷却庫１の運転を続けていると、庫内の空気中の水分が霜となって低温側蒸発器５２に付着する。霜は低温側蒸発器５２の熱交換効率を低下させるので、適宜のタイミングで霜取りヒータ（図示せず）に通電し、低温側蒸発器５２の除霜を行う。霜が溶けた除霜水は冷却ダクト６０の底部のドレンパン７０に受けられ、そこからドレンパイプ７１を通じて庫外の蒸発皿７２に排水される。蒸発皿７２内の水は自然蒸発により、あるいは適宜のヒータ手段による強制蒸発により、蒸発せしめられる。蒸発皿７２を手前側に引き出して水を捨てることもできる。
【００２２】
冷蔵庫１は上記のように構成されているので、把手２５に手を掛けて扉２１を開けば冷蔵室３１に物を出し入れでき、把手２６に手を掛けて扉２２を開けば冷蔵室３２に物を出し入れでき、把手２７に手を掛けて扉２３を開けば冷凍室３８に物を出し入れできる。把手２８に手を掛けて扉２４を引き出せば野菜室４０に物を出し入れできる。
【００２３】
扉２４を引き出すと、それに伴って野菜立て４２も野菜室４０から出てくる。野菜立て４２は野菜ケース４３ａ、４３ｂから直線的に遠ざかって野菜ケース引き出しの余地を生むものであるから、野菜立て４２の幅によって野菜ケース４３ａ、４３ｂの引き出しが容易になったり引き出しが困難になったりするということがない。従って扉２４の幅を最大限に利用し、扉全幅サイズの大容量の野菜立て４２を設けることができる。
【００２４】
冷蔵食品ケース３４、３６及び冷凍食品ケース３９ａ、３９ｂ、３９ｃ、３９ｄは、扉を開いてからケースを引き出すという２段階アクションが必要となる。野菜ケース４３ａ、４３ｂも同様であるが、最も容量の大きい野菜ケース４３ｃは、扉２４を引き出せばそれに連動して野菜室４０から出てくるので、２段階アクションの必要がなく、使い勝手が良い。
【００２５】
さらに、野菜を出し入れする場合、野菜室４０でない側の区分の前、すなわち冷凍室３８の扉２３の前に立ち、野菜室４０から引き出した野菜ケース４３ａ、４３ｂ、４３ｃ、あるいは野菜立て４２に横の方から野菜を出し入れできるので、野菜の出し入れが容易で使いやすい。野菜ケース４３ａ、４３ｂ、４３ｃの中を目で見て確かめるのも簡単に行える。
【００２６】
以上、本発明の実施形態につき説明したが、本発明の範囲はこれに限定されるものではなく、発明の主旨を逸脱しない範囲で種々の変更を加えて実施することができる。
【産業上の利用可能性】
【００２７】
本発明は家庭用又は業務用の冷蔵庫全般に利用可能である。
【図面の簡単な説明】
【００２８】
【図１】冷蔵庫の正面図
【図２】扉を開放した状態の冷蔵庫の正面図
【図３】冷蔵庫の垂直断面図
【図４】図３と異なる状態における冷蔵庫の垂直断面図
【符号の説明】
【００２９】
１    冷蔵庫
１０  断熱筐体
１１  第１区分
１２  第２区分
１３  第３区分
１４  第４区分
２１、２２、２３、２４  扉
３１、３２  冷蔵室
３８  冷凍室
４０  野菜室
４１  スライドガイド
４２  野菜立て（長尺野菜直立保持手段）
４３ａ、４３ｂ、４３ｃ  野菜ケース
【図１】
2006343035.tif 000003
【図２】
2006343035.tif 000004
【図３】
2006343035.tif 000005
【図４】
2006343035.tif 000006